(57)【要約】【課題】ドラムカートリッジおよび現像カートリッジが本体筐体に装着され、カバーが閉じている状態において、現像カートリッジが離間位置から接触位置に移動した際に、現像ローラを感光ドラムに対して精度良く位置決めすること。【解決手段】画像形成装置は、本体筐体２と、第１方向に延びる第１軸について回転可能な感光ドラム４１を有し、第１方向に本体筐体２に着脱可能なドラムカートリッジ４０と、現像ローラ５１とローラ５２を有し、第１方向に本体筐体２に着脱可能な現像カートリッジ５０と、本体筐体２の開口を開閉するカバーを備える。カバーが開放されている場合に、現像カートリッジ５０は、現像ローラ５１およびローラ５２が感光ドラム４１から離間する第１離間位置に位置する。カバーが閉じられている場合に、現像カートリッジ５０は、第１離間位置から現像ローラ５１およびローラ５２が感光ドラム４１と接触する第１接触位置へ移動する。【選択図】図５
2020052357.tif 000002
【特許請求の範囲】
【請求項１】
本体筐体と、
第１方向に延びる第１軸について回転可能な感光ドラムを有するドラムカートリッジであって、前記第１方向に前記本体筐体に着脱可能なドラムカートリッジと、
前記第１方向に延びる第２軸について回転可能な現像ローラと、現像剤を収容する現像フレームと、前記第１方向に延びる第３軸について回転可能なローラと、を有する現像カートリッジであって、前記第１方向に前記本体筐体に着脱可能な現像カートリッジと、
前記ドラムカートリッジおよび前記現像カートリッジが通過することを許容する前記本体筐体の開口を開閉するカバーであって、前記開口を開放する開放位置と前記開口を閉鎖する閉鎖位置との間を前記第１方向と交差する第２方向に延びる第４軸について移動可能なカバーと、
前記ドラムカートリッジおよび前記現像カートリッジが前記本体筐体に装着された状態において、前記ドラムカートリッジおよび前記現像カートリッジよりも上方に位置する中間転写ベルトと、を備えた画像形成装置であって、
前記ドラムカートリッジおよび前記現像カートリッジが前記本体筐体に装着された状態において、前記カバーが前記開放位置に位置する場合に、前記現像カートリッジは、前記現像ローラおよび前記ローラが前記感光ドラムから離間する第１離間位置に位置し、
前記ドラムカートリッジおよび前記現像カートリッジが前記本体筐体に装着された状態において、前記カバーが前記閉鎖位置に位置する場合に、前記現像カートリッジは、前記第１離間位置から前記現像ローラおよび前記ローラが前記感光ドラムと接触する第１接触位置へ移動することを特徴とする画像形成装置。
【請求項２】
前記中間転写ベルトの上方に位置する排紙部を備えたことを特徴とする請求項１に記載の画像形成装置。
【請求項３】
前記ドラムカートリッジと前記現像カートリッジは、それぞれ独立して、前記本体筐体に装着可能であることを特徴とする請求項１または請求項２に記載の画像形成装置。
【請求項４】
前記ドラムカートリッジおよび前記現像カートリッジは、前記ドラムカートリッジおよび前記現像カートリッジが前記本体筐体に装着された状態で、前記第２方向に並ぶことを特徴とする請求項１から請求項３のいずれか一項に記載の画像形成装置。
【請求項５】
前記現像カートリッジが前記本体筐体に装着された状態において、前記ローラは、前記現像ローラの上方に位置することを特徴とする請求項１から請求項４のいずれか一項に記載の画像形成装置。
【請求項６】
前記ローラの外径は、前記現像ローラの外径よりも小さいことを特徴とする請求項１から請求項５のいずれか一項に記載の画像形成装置。
【請求項７】
前記現像カートリッジが前記第１離間位置に位置する場合の前記ローラと前記中間転写ベルトの間の距離は、前記現像カートリッジが前記第１接触位置に位置する場合の前記ローラと前記中間転写ベルトの間の距離よりも大きいことを特徴とする請求項１から請求項６のいずれか一項に記載の画像形成装置。
【請求項８】
前記現像ローラおよび前記ローラを前記感光ドラムに向けて押圧するために前記現像フレームを押圧する押圧位置と、前記現像カートリッジの前記現像フレームを押圧しない非押圧位置と、の間を移動可能な押圧部材を備え、
前記押圧部材は、
前記ドラムカートリッジおよび前記現像カートリッジが前記本体筐体に装着された状態において、前記カバーが開放位置に位置する場合に、前記非押圧位置に位置し、
前記ドラムカートリッジおよび前記現像カートリッジが前記本体筐体に装着された状態において、前記カバーが前記閉鎖位置に位置する場合に、前記非押圧位置から前記押圧位置に移動することを特徴とする請求項１から請求項７のいずれか一項に記載の画像形成装置。
【請求項９】
前記押圧部材が前記押圧位置に位置する場合に、前記押圧部材は、前記現像フレームと接触し、
前記押圧部材が前記非押圧位置に位置する場合に、前記押圧部材は、前記現像フレームと離間することを特徴とする請求項８に記載の画像形成装置。
【請求項１０】
前記ドラムカートリッジが前記本体筐体に装着された状態において、前記カバーが前記開放位置に位置する場合に、前記ドラムカートリッジは、前記感光ドラムと前記中間転写ベルトが離間する第２離間位置に位置し、
前記ドラムカートリッジが前記本体筐体に装着された状態において、前記カバーが前記開放位置から前記閉鎖位置に移動する場合に、前記ドラムカートリッジは、前記第２離間位置から前記感光ドラムと前記中間転写ベルトが接触する第２接触位置に移動することを特徴とする請求項１から請求項９のいずれか一項に記載の画像形成装置。
【発明の詳細な説明】
【技術分野】
【０００１】
本発明は、本体筐体に着脱可能なドラムカートリッジおよび現像カートリッジを備える画像形成装置に関する。
【背景技術】
【０００２】
従来、本体筐体にドラムカートリッジおよび現像カートリッジを感光ドラムの軸方向に着脱可能な画像形成装置が知られている（特許文献１参照）。この技術では、本体筐体は、ドラムカートリッジおよび現像カートリッジが挿入されることを許容する開口を開閉するカバーを有している。また、ドラムカートリッジおよび現像カートリッジは、本体筐体に個別に着脱可能となっている。
【０００３】
ドラムカートリッジおよび現像カートリッジが本体筐体に装着され、かつ、カバーが本体筐体の開口を閉じている状態において、現像カートリッジは、現像ローラが感光ドラムに接触する接触位置と、現像ローラが感光ドラムから離間した離間位置との間で移動可能となっている。
【先行技術文献】
【特許文献】
【０００４】
【特許文献１】特開２０１７−１７３８０５号公報
【発明の概要】
【発明が解決しようとする課題】
【０００５】
従来技術では、ドラムカートリッジおよび現像カートリッジが本体筐体に装着され、かつ、カバーが本体筐体の開口を閉じている状態において、現像カートリッジが、離間位置から接触位置に移動した場合に、現像ローラを、感光ドラムに対して、位置決めする部品が無く、位置決め精度の向上が求められる。
【０００６】
そこで、ドラムカートリッジおよび現像カートリッジが本体筐体に装着され、かつ、カバーが本体筐体の開口を閉じている状態において、現像カートリッジが、離間位置から接触位置に移動した場合に、現像ローラを、感光ドラムに対して、より精度良く位置決めすることを目的とする。
【課題を解決するための手段】
【０００７】
前記課題を解決するため、本発明に係る画像形成装置は、本体筐体と、第１方向に延びる第１軸について回転可能な感光ドラムを有するドラムカートリッジであって、前記第１方向に前記本体筐体に着脱可能なドラムカートリッジと、前記第１方向に延びる第２軸について回転可能な現像ローラと、現像剤を収容する現像フレームと、前記第１方向に延びる第３軸について回転可能なローラと、を有する現像カートリッジであって、前記第１方向に前記本体筐体に着脱可能な現像カートリッジと、前記ドラムカートリッジおよび前記現像カートリッジが通過することを許容する前記本体筐体の開口を開閉するカバーであって、前記開口を開放する開放位置と前記開口を閉鎖する閉鎖位置との間を前記第１方向と交差する第２方向に延びる第４軸について移動可能なカバーと、前記ドラムカートリッジおよび前記現像カートリッジが前記本体筐体に装着された状態において、前記ドラムカートリッジおよび前記現像カートリッジよりも上方に位置する中間転写ベルトと、を備える。
前記ドラムカートリッジおよび前記現像カートリッジが前記本体筐体に装着された状態において、前記カバーが前記開放位置に位置する場合に、前記現像カートリッジは、前記現像ローラおよび前記ローラが前記感光ドラムから離間する第１離間位置に位置する。
前記ドラムカートリッジおよび前記現像カートリッジが前記本体筐体に装着された状態において、前記カバーが前記閉鎖位置に位置する場合に、前記現像カートリッジは、前記第１離間位置から前記現像ローラおよび前記ローラが前記感光ドラムと接触する第１接触位置へ移動する。
【０００８】
これによれば、第１接触位置において、現像ローラおよびローラが感光ドラムと接触するので、第１方向に着脱可能な現像カートリッジであっても、現像ローラを感光ドラムに対して、より精度良く位置決めすることができる。
【０００９】
また、前記画像形成装置は、前記中間転写ベルトの上方に位置する排紙部を備えていてもよい。
【００１０】
また、前記ドラムカートリッジと前記現像カートリッジは、それぞれ独立して、前記本体筐体に装着可能であってもよい。
【００１１】
また、前記ドラムカートリッジおよび前記現像カートリッジは、前記ドラムカートリッジおよび前記現像カートリッジが前記本体筐体に装着された状態で、前記第２方向に並んでいてもよい。
【００１２】
また、前記現像カートリッジが前記本体筐体に装着された状態において、前記ローラは、前記現像ローラの上方に位置していてもよい。
【００１３】
また、前記ローラの外径は、前記現像ローラの外径よりも小さくてもよい。
【００１４】
また、前記現像カートリッジが前記第１離間位置に位置する場合の前記ローラと前記中間転写ベルトの間の距離は、前記現像カートリッジが前記第１接触位置に位置する場合の前記ローラと前記中間転写ベルトの間の距離よりも大きくてもよい。
【００１５】
また、前記画像形成装置は、前記現像ローラおよび前記ローラを前記感光ドラムに向けて押圧するために前記現像フレームを押圧する押圧位置と、前記現像カートリッジの前記現像フレームを押圧しない非押圧位置と、の間を移動可能な押圧部材を備え、前記押圧部材は、前記ドラムカートリッジおよび前記現像カートリッジが前記本体筐体に装着された状態において、前記カバーが開放位置に位置する場合に、前記非押圧位置に位置し、前記ドラムカートリッジおよび前記現像カートリッジが前記本体筐体に装着された状態において、前記カバーが前記閉鎖位置に位置する場合に、前記非押圧位置から前記押圧位置に移動してもよい。
【００１６】
また、前記押圧部材が前記押圧位置に位置する場合に、前記押圧部材は、前記現像フレームと接触し、前記押圧部材が前記非押圧位置に位置する場合に、前記押圧部材は、前記現像フレームと離間してもよい。
【００１７】
また、前記ドラムカートリッジが前記本体筐体に装着された状態において、前記カバーが前記開放位置に位置する場合に、前記ドラムカートリッジは、前記感光ドラムと前記中間転写ベルトが離間する第２離間位置に位置し、前記ドラムカートリッジが前記本体筐体に装着された状態において、前記カバーが前記開放位置から前記閉鎖位置に移動する場合に、前記ドラムカートリッジは、前記第２離間位置から前記感光ドラムと前記中間転写ベルトが接触する第２接触位置に移動してもよい。
【００１８】
これによれば、カバーを開閉するだけで、感光ドラムを中間転写ベルトに対して接触・離間させることができる。
【発明の効果】
【００１９】
本発明によれば、第１方向に着脱可能な現像カートリッジにおいて、現像ローラを感光ドラムに対して、より精度良く位置決めすることができる。
【図面の簡単な説明】
【００２０】
【図１】本発明の一実施形態に係るカラープリンタの概略構成を示す図である。
【図２】本体筐体のカバーを開けた状態を示す斜視図である。
【図３】ドラムカートリッジを本体筐体から引き出した状態を示す斜視図である。
【図４】現像カートリッジを本体筐体から引き出した状態を示す斜視図である。
【図５】ドラムカートリッジが第２離間位置に位置し、現像カートリッジが第１離間位置に位置する状態を示す断面図（ａ）と、ドラムカートリッジが第２接触位置に位置し、現像カートリッジが第１離間位置に位置する状態を示す断面図（ｂ）と、ドラムカートリッジが第２接触位置に位置し、現像カートリッジが第１接触位置に位置する状態を示す断面図（ｃ）である。
【図６】第１カバーと各カートリッジの関係を示す図（ａ），（ｂ）と、本体筐体の壁と各カートリッジの関係を示す図（ｃ）である。
【図７】第１カバーと各カートリッジの関係を示す斜視図である。
【図８】第１カバーおよび第２カバーを開放した状態を示す断面図（ａ）と、第１カバーと開位置から閉位置に回動させている状態を示す断面図（ｂ）と、第１カバーを閉じた状態を示す断面図（ｃ）である。
【発明を実施するための形態】
【００２１】
次に、本発明の一実施形態について、適宜図面を参照しながら詳細に説明する。なお、以下の説明においては、まず、画像形成装置の一例としてのカラープリンタ１の全体構成を説明する。
【００２２】
図１に示すように、カラープリンタ１は、本体筐体２と、給紙部３と、画像形成部４と、排紙部２１と、を備える。給紙部３は、画像形成部４に用紙Ｐを供給する。画像形成部４は、用紙Ｐに画像を形成する。排紙部２１は、用紙Ｐを排出する。
【００２３】
排紙部２１は、本体筐体２の上部に位置する。排紙部２１は、後述する中間転写ベルト６３の上方に位置する。排紙部２１は、排出ローラ９と、排紙面と、を備える。排出ローラ９は、用紙Ｐを排紙面に向けて搬送する。
【００２４】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
【００２５】
画像形成部４は、４つのドラムカートリッジ４０と、４つの現像カートリッジ５０と、露光装置ＳＵと、転写ユニット６０と、定着ユニット７０と、を備える。
【００２６】
各ドラムカートリッジ４０は、感光ドラム４１と、ドラムフレームＦ１と、図示せぬ帯電器と、を有する。感光ドラム４１は、第１方向に延びる第１軸Ｘ１について回転可能である。４つのドラムカートリッジ４０は、第１方向および上下方向に直交する第２方向に並ぶ。
【００２７】
各現像カートリッジ５０は、現像ローラ５１と、ローラ５２と、現像フレームＦ２と、を有する。現像フレームＦ２は、現像剤を収容する。現像ローラ５１は、第１方向に延びる第２軸Ｘ２について回転可能である。４つの現像カートリッジ５０は、第２方向に並ぶ。ローラ５２は、現像ローラ５１とは別のローラである。現像カートリッジ５０が本体筐体２に装着された状態において、ローラ５２は、現像ローラ５１の上方に位置する。ローラ５２は、第１方向に延びる第３軸Ｘ３について回転可能である。ローラ５２の外径は、現像ローラ５１の外径よりも小さい。
【００２８】
露光装置ＳＵは、各ドラムカートリッジ４０の下に位置する。露光装置ＳＵは、レーザ光を各感光ドラム４１に出射する。
【００２９】
転写ユニット６０は、４つの感光ドラム４１と排紙部２１との間に位置する。転写ユニット６０は、駆動ローラ６１と、従動ローラ６２と、中間転写ベルト６３と、４つの１次転写ローラ６４と、２次転写ローラ６５と、を備える。
【００３０】
中間転写ベルト６３は、無端状のベルトである。中間転写ベルト６３は、ドラムカートリッジ４０および現像カートリッジ５０が本体筐体２に装着された状態において、ドラムカートリッジ４０および現像カートリッジ５０よりも上方に位置する。
【００３１】
１次転写ローラ６４は、中間転写ベルト６３の内側に位置する。１次転写ローラ６４と感光ドラム４１は、中間転写ベルト６３を挟む。
【００３２】
２次転写ローラ６５は、中間転写ベルト６３の外側に位置する。２次転写ローラ６５と駆動ローラ６１は、中間転写ベルト６３を挟む。
【００３３】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００３４】
まず、帯電器が、感光ドラム４１の表面を帯電させる。その後、露光装置ＳＵが、感光ドラム４１の表面を露光する。これにより、感光ドラム４１上に静電潜像が形成される。
【００３５】
次いで、現像ローラ５１が、感光ドラム４１上の静電潜像に現像剤を供給する。これにより、感光ドラム４１上に現像剤像が形成される。そして、感光ドラム４１上の現像剤像は、中間転写ベルト６３上に転写される。
【００３６】
用紙Ｐが中間転写ベルト６３と２次転写ローラ６５の間を通過するときに、中間転写ベルト６３上の現像剤像は、用紙Ｐ上に転写される。その後、用紙Ｐ上の現像剤像は、定着ユニット７０で定着される。次いで、用紙Ｐは、排出ローラ９によって排紙部２１に排出される。
【００３７】
図２に示すように、本体筐体２は、カバーＣを有する。本体筐体２は、開口２２Ａを有する。開口２２Ａは、各ドラムカートリッジ４０および各現像カートリッジ５０を着脱するための開口である。開口２２Ａは、ドラムカートリッジ４０および現像カートリッジ５０が通過することを許容する。
【００３８】
カバーＣは、開口２２Ａを開閉するための部材である。カバーＣは、第１カバーＣ１と、第２カバーＣ２と、を有する。
【００３９】
第１カバーＣ１は、第１カバーＣ１の下端を中心に回動する。第１カバーＣ１は、開口２２Ａを開放する開放位置と開口２２Ａを閉鎖する閉鎖位置との間を、第１方向と交差する第２方向に延びる第４軸Ｘ４について移動可能である。第１カバーＣ１は、ガイド部Ｇを有する。
【００４０】
ガイド部Ｇは、４つの凸部Ｇ１と、４つの第１ガイド面Ｇ１１と、４つの第２ガイド面Ｇ２１と、を有する。各凸部Ｇ１は、各第２ガイド面Ｇ２１から上に突出する。
【００４１】
第１ガイド面Ｇ１１は、各カバーＣ１，Ｃ２が開いた状態において、ドラムカートリッジ４０をガイドする面である。第１ガイド面Ｇ１１は、ドラムカートリッジ４０を下から支持する。第１ガイド面Ｇ１１は、第２ガイド面Ｇ２１よりも上に位置する。詳しくは、第１ガイド面Ｇ１１は、凸部Ｇ１の上面である。
【００４２】
各第２ガイド面Ｇ２１は、第１カバーＣ１および第２カバーＣ２を開いた状態において、現像カートリッジ５０をガイドする面である。各第２ガイド面Ｇ２１は、現像カートリッジ５０を下から支持する。
【００４３】
第２カバーＣ２は、第２カバーＣ２の下端を中心に回動する。第２カバーＣ２は、開口２２Ａおよび第１カバーＣ１を覆う。なお、第１カバーＣ１は、第２カバーＣ２の回動に連動して回動してもよい。また、第１カバーＣ１と第２カバーＣ２が、それぞれ別々に回動可能となっていてもよい。
【００４４】
ドラムカートリッジ４０および現像カートリッジ５０は、ドラムカートリッジ４０および現像カートリッジ５０が本体筐体２に装着された状態で、第２方向に並んでいる。そして、図３および図４に示すように、ドラムカートリッジ４０および現像カートリッジ５０は、それぞれ独立して、本体筐体２に対して第１方向に着脱可能となっている。各ドラムカートリッジ４０は、同じ構造となっている。各現像カートリッジ５０は、同じ構造となっている。
【００４５】
図３に示すように、ドラムカートリッジ４０は、第１側壁４１０と、第１ボスＢＳ１と、を有する。第１側壁４１０は、ドラムカートリッジ４０の第１方向の両側に１つずつ設けられている。２つの第１側壁４１０は、それぞれ第１ボスＢＳ１を有する。
【００４６】
第１ボスＢＳ１は、第１側壁４１０から第１方向外側に突出する。第１ボスＢＳ１は、円柱状である。
【００４７】
図４に示すように、現像カートリッジ５０は、第２側壁５１０と、第２ボスＢＳ２と、を有する。第２側壁５１０は、現像カートリッジ５０の第１方向の両側に１つずつ設けられている。２つの第２側壁５１０は、それぞれ第２ボスＢＳ２を有する。
【００４８】
第２ボスＢＳ２は、第２側壁５１０から第１方向外側に突出する。第２ボスＢＳ２は、円柱状である。
【００４９】
図５（ａ）に示すように、本体筐体２は、第１ガイド面Ｇ１１１と、第２ガイド面Ｇ１２１と、第１凸部Ｒ１と、第２凸部Ｒ２と、を有する。第１ガイド面Ｇ１１１は、本体筐体２の内部において、ドラムカートリッジ４０をガイドする面である。詳しくは、４つのドラムカートリッジ４０の下に、４つの第１ガイド面Ｇ１１１が位置する。
【００５０】
４つの第１ガイド面Ｇ１１１は、それぞれ、第１凸部Ｒ１を有する。第１凸部Ｒ１は、第１ガイド面Ｇ１１１から上に突出する。ドラムカートリッジ４０は、第１凹部ＣＶ１を有する。第１凹部ＣＶ１は、第１凸部Ｒ１が入る凹部である。第１凸部Ｒ１および第１凹部ＣＶ１は、それぞれ、第１方向に長尺となるように延びている。これにより、ドラムカートリッジ４０を本体筐体２に第１方向に装着するときに、ドラムカートリッジ４０は、第１凸部Ｒ１が第１凹部ＣＶ１に入った状態で、第１方向に移動する。なお、ドラムカートリッジ４０を本体筐体２から第１方向に引き出すときも同様に、ドラムカートリッジ４０は、第１凸部Ｒ１が第１凹部ＣＶ１に入った状態で移動する。
【００５１】
第２ガイド面Ｇ１２１は、本体筐体２の内部において、現像カートリッジ５０をガイドする面である。詳しくは、４つの現像カートリッジ５０の下に、４つの第２ガイド面Ｇ１２１が位置する。
【００５２】
４つの第２ガイド面Ｇ１２１は、それぞれ、第２凸部Ｒ２を有する。第２凸部Ｒ２は、第２ガイド面Ｇ１２１から上に突出する。現像カートリッジ５０は、第２凹部ＣＶ２を有する。第２凹部ＣＶ２は、第２凸部Ｒ２が入る凹部である。第２凸部Ｒ２および第２凹部ＣＶ２は、それぞれ、第１方向に長尺となるように延びている。これにより、現像カートリッジ５０を本体筐体２に第１方向に装着するときに、現像カートリッジ５０は、第２凸部Ｒ２が第２凹部ＣＶ２に入った状態で、第１方向に移動する。なお、現像カートリッジ５０を本体筐体２から第１方向に引き出すときも同様に、現像カートリッジ５０は、第２凸部Ｒ２が第２凹部ＣＶ２に入った状態で移動する。
【００５３】
ドラムカートリッジ４０は、図５（ａ）に示す第２離間位置と、図５（ｂ）に示す第２接触位置との間で移動可能である。第２接触位置は、感光ドラム４１が中間転写ベルト６３に接触する位置である。第２離間位置は、感光ドラム４１が中間転写ベルト６３から離間する位置である。ドラムカートリッジ４０が第２接触位置に位置する状態およびドラムカートリッジ４０が第２離間位置に位置する状態のいずれの状態でも、第１凸部Ｒ１は、第１凹部ＣＶ１に入っている。
【００５４】
本体筐体２は、スライド機構ＰＭ１を有する。ドラムカートリッジ４０は、スライド機構ＰＭ１によって、第２接触位置と第２離間位置との間を移動可能となっている。
【００５５】
図７に示すように、スライド機構ＰＭ１は、第１アームＰＭ１１と、第２アームＰＭ１２と、板ＰＭ１３と、を備えている。ドラムカートリッジ４０が本体筐体２に装着された状態において、第１アームＰＭ１１は、ドラムカートリッジ４０の第１方向の一方側に位置する。また、ドラムカートリッジ４０が本体筐体２に装着された状態において、第２アームＰＭ１２は、ドラムカートリッジ４０の第１方向の他方側に位置する。
【００５６】
各アームＰＭ１１，ＰＭ１２は、長尺状の部材である。アームＰＭ１１は、一端部と、他端部とを有する。また、アームＰＭ１２は、一端部と、他端部とを有する。アームＰＭ１１の一端部とアームＰＭ１２の一端部は、それぞれ、本体筐体２に連結され、さらに、アームＰＭ１１は、アームＰＭ１１の一端部を中心として、本体筐体２に対して回動可能であり、アームＰＭ１２も、アームＰＭ１２の一端部を中心として、本体筐体２に対して回動可能である。
【００５７】
板ＰＭ１３は、第１方向に長い板状の部材である。板ＰＭ１３は、ドラムカートリッジ４０の下面に接触する。板ＰＭ１３は、第１方向における一端部と、他端部とを有する。板ＰＭ１３の一端部は、アームＰＭ１１の他端部と連結され、さらに、板ＰＭ１３は、板ＰＭ１３の一端部を中心として、アームＰＭ１１の他端部に対して回動可能である。また、板ＰＭ１３の他端部は、アームＰＭ１２の他端部と連結され、さらに、板ＰＭ１３は、板ＰＭ１３の他端部を中心として、アームＰＭ１２の他端部に対して回動可能である。そして、第１アームＰＭ１１は、第１カバーＣ１に固定されている。これにより、第１アームＰＭ１１は、本体筐体２に対して、第１カバーＣ１とともに回動可能となっている。
【００５８】
図８（ａ）に示すように、第１カバーＣ１が開けられた状態においては、アームＰＭ１１は、第１カバーＣ１と共に、第１位置へ移動する。アームＰＭ１１が第１位置に位置する状態において、アームＰＭ１１は、第１方向に沿っている。また、図８（ａ）に示すように、第１カバーＣ１が開けられた状態においては、アームＰＭ１２も、第１カバーＣ１と共に、第２位置へ移動する。アームＰＭ１２が第２位置に位置する状態において，アームＰＭ１２は、第１方向に沿っている。このとき、板ＰＭ１３は、本体筐体２の第１ガイド面Ｇ１１１よりも下に位置する。一方、第１カバーＣ１が、開けられた状態から、閉じた状態へ移動する場合、第１カバーＣ１は、図８（ｂ）に表す状態を経由して、図８（ｃ）の状態へ移動する。
図８（ａ）〜（ｃ）に示すように、第１カバーＣ１が閉じられる過程においては、アームＰＭ１１が第１位置から第３位置へ移動する。そして、図８（ｃ）に示すように、第１カバーＣ１が閉じられた状態においては、アームＰＭ１１は、第３位置となる。アームＰＭ１１は、第３位置に位置する状態において，アームＰＭ１１は、上下方向に沿っている。また、図８（ａ）〜（ｃ）に示すように、第１カバーＣ１が閉じられる過程においては、アームＰＭ１２が第２位置から第４位置へ移動する。そして、図８（ｃ）に示すように、第１カバーＣ１が閉じられた状態においては、アームＰＭ１２は、第４位置となる。アームＰＭ１２は、第４位置に位置する状態において，アームＰＭ１２は、上下方向に沿っている。このとき、板ＰＭ１３は、本体筐体２の第１ガイド面Ｇ１１１よりも上に位置する。
【００５９】
上記した構造により、アームＰＭ１１が第１位置から第３位置へ回動することで、板ＰＭ１３が、上方向に移動し、ドラムカートリッジ４０を押し上げる。そのため、第１カバーＣ１の開閉に連動して、ドラムカートリッジ４０が第２接触位置と第２離間位置とに移動可能となっている。また、アームＰＭ１２が第２位置から第４位置へ回動することで、板ＰＭ１３が、上方向に移動し、ドラムカートリッジ４０を押し上げる。そのため、第１カバーＣ１の開閉に連動して、ドラムカートリッジ４０が第２接触位置と第２離間位置とに移動可能となっている。このため、第１カバーＣ１の開閉に連動して、ドラムカートリッジ４０を第２接触位置と第２離間位置とに移動させることが可能となっている。
【００６０】
すなわち、ドラムカートリッジ４０が本体筐体２に装着された状態において、第１カバーＣ１が開放位置に位置する場合に、ドラムカートリッジ４０は、第２離間位置に位置する。ドラムカートリッジ４０が本体筐体２に装着された状態において、第１カバーＣ１が開放位置から閉鎖位置に移動する場合に、ドラムカートリッジ４０は、第２離間位置から第２接触位置に移動する。
【００６１】
図５に示すように、現像カートリッジ５０は、図５（ｃ）に示す第１接触位置と、図５（ｂ）に示す第１離間位置との間で移動可能である。第１接触位置は、現像ローラ５１およびローラ５２が感光ドラム４１に接触する位置である。第１離間位置は、現像ローラ５１およびローラ５２が感光ドラム４１から離間する位置である。詳しくは、現像カートリッジ５０は、ドラムカートリッジ４０が第２接触位置に位置するときに、第１接触位置と第１離間位置とに移動可能となっている。現像カートリッジ５０が第１離間位置に位置する場合のローラ５２と中間転写ベルト６３の間の距離は、現像カートリッジ５０が第１接触位置に位置する場合のローラ５２と中間転写ベルト６３の間の距離よりも大きい。
【００６２】
現像カートリッジ５０が第１接触位置に位置する状態において、第２凸部Ｒ２は、第２凹部ＣＶ２から離脱している。現像カートリッジ５０が第１離間位置に位置する状態において、第２凸部Ｒ２は、第２凹部ＣＶ２に入っている。
【００６３】
図５（ｃ）に示すように、本体筐体２は、押圧部材ＰＭ２を有する。押圧部材ＰＭ２は、図に実線で示す押圧位置と、図に破線で示す非押圧位置と、の間を移動可能となっている。押圧位置は、現像ローラ５１およびローラ５２を感光ドラム４１に向けて押圧するために現像フレームＦ２を押圧するときの位置である。非押圧位置は、現像カートリッジ５０の現像フレームＦ２を押圧しないときの位置である。押圧部材ＰＭ２が押圧位置に位置する場合に、押圧部材ＰＭ２は、現像フレームＦ２と接触する。押圧部材ＰＭ２が非押圧位置に位置する場合に、押圧部材ＰＭ２は、現像フレームＦ２と離間する。
【００６４】
押圧部材ＰＭ２は、ドラムカートリッジ４０および現像カートリッジ５０が本体筐体２に装着された状態において、第１カバーＣ１が開放位置に位置する場合に、非押圧位置に位置する。また、押圧部材ＰＭ２は、ドラムカートリッジ４０および現像カートリッジ５０が本体筐体２に装着された状態において、第１カバーＣ１が閉鎖位置に位置する場合に、非押圧位置から押圧位置に移動する。なお、押圧部材ＰＭ２は、例えば、カラー印刷・モノクロ印刷などの印刷制御の違いに応じて、適宜、図示せぬ制御装置によって作動させることができる。また、押圧部材ＰＭ２は、第１カバーＣ１の開閉に連動して作動させてもよい。
【００６５】
現像カートリッジ５０は、押圧部材ＰＭ２によって、第１接触位置と第１離間位置との間を移動可能となっている。具体的に、押圧部材ＰＭ２が押圧位置に位置するときには、現像カートリッジ５０は、第１接触位置に位置する。押圧部材ＰＭ２が非押圧位置に位置するときには、現像カートリッジ５０は、第１離間位置に位置する。そのため、ドラムカートリッジ４０および現像カートリッジ５０が本体筐体２に装着された状態において、第１カバーＣ１が開放位置に位置する場合には、押圧部材ＰＭ２が非押圧位置に位置するので、現像カートリッジ５０は、第１離間位置に位置する。また、ドラムカートリッジ４０および現像カートリッジ５０が本体筐体２に装着された状態において、第１カバーＣ１が閉鎖位置に位置する場合には、押圧部材ＰＭ２が非押圧位置から押圧位置へ移動することで、現像カートリッジ５０は、第１離間位置から第１接触位置へ移動する。
【００６６】
図６（ａ）に示すように、第１カバーＣ１は、４つの第１溝ＧＲ１と、４つの第２溝ＧＲ２と、を有する。第１溝ＧＲ１は、ドラムカートリッジ４０の第１ボスＢＳ１が入る溝である。第１溝ＧＲ１は、上下方向に長い長孔状に形成されている。詳しくは、第１溝ＧＲ１は、図２に示す第１ガイド面Ｇ１１に形成されている。図６（ａ），（ｂ）に示すように、ドラムカートリッジ４０は、第１ボスＢＳ１が第１溝ＧＲ１に沿って移動することで、第２接触位置と第２離間位置との間で移動するようになっている。
【００６７】
第２溝ＧＲ２は、現像カートリッジ５０の第２ボスＢＳ２が入る溝である。第２溝ＧＲ２は、上下方向に長い長孔状に形成されている。第２溝ＧＲ２は、第１溝ＧＲ１よりも下に位置する。現像カートリッジ５０は、第２ボスＢＳ２が第２溝ＧＲ２に沿って移動することで、第１接触位置と第１離間位置との間で移動するようになっている。
【００６８】
詳しくは、図５（ｃ）に示すように、押圧部材ＰＭ２は、現像カートリッジ５０の下部を斜め上方に押圧する。すると、現像カートリッジ５０は、図６（ａ），（ｂ）に示すように、第２ボスＢＳ２を中心に回動しながら、上に移動する。これにより、現像カートリッジ５０を第１接触位置と第１離間位置とに良好に移動させることが可能となっている。
【００６９】
図６（ｃ）および図７に示すように、本体筐体２は、壁２３を有する。壁２３は、カバーＣとの間でドラムカートリッジ４０および現像カートリッジ５０を挟む壁である。壁２３は、４つの第１溝ＧＲ１と、４つの第２溝ＧＲ２と、を有する。壁２３に形成される各溝ＧＲ１，ＧＲ２は、前述した第１カバーＣ１に形成される各溝ＧＲ１，ＧＲ２と同様の構造となっている。これにより、ドラムカートリッジ４０の第１方向の両側の第１ボスＢＳ１は、それぞれ、第１カバーＣ１の第１溝ＧＲ１と壁２３の第１溝ＧＲ１によってガイドされる。また、現像カートリッジ５０の第１方向の両側の第２ボスＢＳ２は、それぞれ、第１カバーＣ１の第２溝ＧＲ２と壁２３の第２溝ＧＲ２によってガイドされる。
【００７０】
次に、各カートリッジ４０，５０の着脱方法や現像ローラ５１の感光ドラム４１への位置め方法について説明する。
図５（ａ）に示すように、ドラムカートリッジ４０を本体筐体２に第１方向に装着する際には、ユーザは、本体筐体２の第１凸部Ｒ１がドラムカートリッジ４０の第１凹部ＣＶ１内に入るように、ドラムカートリッジ４０を第１ガイド面Ｇ１１１上に載せる。その後、ユーザは、ドラムカートリッジ４０を第１ガイド面Ｇ１１１に沿って第１方向にスライドさせる。
【００７１】
図８（ａ）に示すように、ドラムカートリッジ４０が本体筐体２の壁２３に接触すると、ドラムカートリッジ４０の移動が止められる。この際、ドラムカートリッジ４０の第１ボスＢＳ１が、図６（ｃ）に示す壁２３の第１溝ＧＲ１内に入る。
【００７２】
図５（ａ）に示すように、現像カートリッジ５０を本体筐体２に第１方向に装着する際には、ユーザは、本体筐体２の第２凸部Ｒ２が現像カートリッジ５０の第２凹部ＣＶ２内に入るように、現像カートリッジ５０を第２ガイド面Ｇ１２１上に載せる。その後、ユーザは、現像カートリッジ５０を第２ガイド面Ｇ１２１に沿って第１方向にスライドさせる。
【００７３】
現像カートリッジ５０が本体筐体２の壁２３に接触すると、現像カートリッジ５０の移動が止められる。この際、現像カートリッジ５０の第２ボスＢＳ２が、図６（ｃ）に示す壁２３の第２溝ＧＲ２内に入る。
【００７４】
各カートリッジ４０，５０を本体筐体２に装着した後、図８（ｂ）に示すように、第１カバーＣ１を閉じていくと、スライド機構ＰＭ１が作動して、各ドラムカートリッジ４０が第２離間位置から第２接触位置に向けて移動していく。図８（ｃ）に示すように、第１カバーＣ１を閉じると、各ドラムカートリッジ４０の第２接触位置への移動が完了する。また、この際、図６（ｂ）に示すように、ドラムカートリッジ４０の第１ボスＢＳ１が、第１カバーＣ１の第１溝ＧＲ１内に入る。さらに、この際、現像カートリッジ５０の第２ボスＢＳ２が、第１カバーＣ１の第２溝ＧＲ２内に入る。
【００７５】
その後は、第２カバーＣ２を閉じることで、各カートリッジ４０，５０の本体筐体２への装着が完了する。なお、各カートリッジ４０，５０を本体筐体２から第１方向に取り出す作業は、前述した作業を逆の手順で行えばよい。
【００７６】
図５（ｂ），（ｃ）に示すように、現像カートリッジ５０を第１離間位置から第１接触位置に移動させる場合には、押圧部材ＰＭ２によって、現像カートリッジ５０の下端部が斜め上方に押圧される。これにより、現像カートリッジ５０は、第２ボスＢＳ２（図６（ｂ）参照）を中心に回動しながら、上方に移動する。そのため、図５（ｃ）により、現像ローラ５１とローラ５２がともに感光ドラム４１に接触する。これにより、現像ローラ５１を感光ドラム４１に対して位置決めすることができる。
【００７７】
以上によれば、本実施形態において以下のような効果を得ることができる。
第１方向に着脱可能な現像カートリッジ５０が現像ローラ５１とは別のローラ５２を備えるだけで、現像ローラ５１を感光ドラム４１に対して位置決めすることができるので、構造を複雑化させることなく、現像ローラ５１を感光ドラム４１に対して位置決めすることができる。
【００７８】
第１カバーＣ１の開閉に連動してスライド機構ＰＭ１が作動するので、第１カバーＣ１を開閉するだけで、感光ドラム４１を中間転写ベルト６３に対して接触・離間させることができる。
【００７９】
なお、本発明は前記実施形態に限定されることなく、以下に例示するように様々な形態で利用できる。以下の説明においては、前記実施形態と略同様の構造となる部材には同一の符号を付し、その説明は省略する。
【００８０】
前記実施形態では、ドラムカートリッジ４０が第１ボスＢＳ１を有し、本体筐体２が第１溝ＧＲ１を有する構成としたが、本発明はこれに限定されない。例えば、ドラムカートリッジが第１溝を有し、本体筐体が第１ボスを有していてもよい。同様に、現像カートリッジが第２溝を有し、本体筐体が第２ボスを有していてもよい。
【００８１】
前記実施形態では、ドラムカートリッジ４０が第１凹部ＣＶ１を有し、本体筐体２が第１凸部Ｒ１を有する構成としたが、本発明はこれに限定されない。例えば、ドラムカートリッジが第１凸部を有し、本体筐体が第１凹部を有していてもよい。同様に、現像カートリッジが第２凸部を有し、本体筐体が第２凹部を有していてもよい。
【００８２】
前記実施形態では、カラープリンタ１に本発明を適用したが、本発明はこれに限定されず、その他の画像形成装置、例えばモノクロのプリンタ、複写機、複合機などに本発明を適用してもよい。
【００８３】
前記した実施形態および変形例で説明した各要素を、任意に組み合わせて実施してもよい。
【符号の説明】
【００８４】
１      カラープリンタ
２      本体筐体
２２Ａ  開口
４０    ドラムカートリッジ
４１    感光ドラム
５０    現像カートリッジ
５１    現像ローラ
５２    ローラ
６３    中間転写ベルト
Ｃ１    第１カバー
Ｆ２    現像フレーム
Ｘ１    第１軸
Ｘ２    第２軸
Ｘ３    第３軸
Ｘ４    第４軸
【図１】
2020052357.tif 000003
【図２】
2020052357.tif 000004
【図３】
2020052357.tif 000005
【図４】
2020052357.tif 000006
【図５】
2020052357.tif 000007
【図６】
2020052357.tif 000008
【図７】
2020052357.tif 000009
【図８】
2020052357.tif 000010